(57)【要約】【課題】ＰＢＸ１０１または中央オフィススイッチに関連する有線電話回線上の遠隔自動転送機能の申込者、以下「ユーザ」がＩＰ端末１１２から機能コードを入力することによってその機能を使用可能にする。【解決手段】ユーザは、そのＩＰ端末１１２から機能コードを入力し、その機能コードは、ＩＰユーザディレクトリ１１３、以下例えば、使用中ユーザレジストリＡＵＲデータベースにアクセスできる遠隔サーバ （例えば、サーバ１１０）によって受信され、かつその機能を呼出すのに必要な情報を決定された態様でサービス制御点（ＳＣＰ）１０６へ転送する。ＳＣＰは、機能コードを、遠隔自動転送機能をユーザの有線回線電話上で呼出す要求として認識し、そのためその有線電話宛ての呼出は、例えば、ユーザの携帯電話へ転送される。【選択図】図１
2004519119.tif 000002
【特許請求の範囲】
【請求項１】
有線回線機構上のユーザ回線に関連する機能を呼出す方法であって、
ａ）ＩＰ端末からの、呼出されるべき機能を示す機能コードをサーバで受信するステップと、
ｂ）受信した上記機能コードに応答して、上記サーバが、上記有線回線機構上のユーザ回線に関連する機能を呼出すのに必要なユーザ関連情報、ならびにそのユーザ関連情報が送られるべき宛先およびどのような態様で上記ユーザ関連情報を送るかを含むアクセス情報を決定するステップと、
ｃ）上記ステップｂ）で決定された態様で、上記ユーザ関連情報を上記宛先へ送り、上記有線回線機構上のユーザ回線に関連した機能を呼出すステップとを含む方法。
【請求項２】
上記ユーザ関連情報が、安全な伝送手段を通じて、上記ステップｃ）において送られる請求項１に記載の方法。
【請求項３】
上記安全な伝送手段は、無線データネットワークである請求項２に記載の方法。
【請求項４】
上記安全な伝送手段は、パケットコンピュータネットワークである請求項２に記載の方法。
【請求項５】
上記機能は、上記有線回線機構上のユーザ回線宛ての呼出を、ユーザの無線局セットへ転送する遠隔自動転送である請求項１に記載の方法。
【請求項６】
上記無線局セットは、携帯電話である請求項５に記載の方法。
【請求項７】
前記有線回線機構上のユーザ回線は、ＰＢＸに関連しており、上記宛先は、上記ＰＢＸの上記ユーザ回線上で上記遠隔自動転送機能を呼出すための上記ＰＢＸである請求項６に記載の方法。
【請求項８】
上記有線回線機構上のユーザ回線は、中央オフィススイッチに関連しており、上記宛先は、上記中央オフィススイッチの電話加入者の回線上で上記遠隔自動転送機能を呼出す上記中央オフィススイッチである請求項６に記載の方法。
【請求項９】
上記機能は、上記有線回線機構上のユーザ回線宛ての呼出を、ユーザの無線局セットへ転送する使用中の遠隔自動転送機能を使用しないようにするものである請求項１に記載の方法。
【請求項１０】
有線回線機構上のユーザ回線に関連する機能を呼出すシステムであって、
ＩＰ端末からの、呼出されるべき機能を示す機能コードを受信するサーバと、
上記サーバによってアクセス可能な第１データベースであって、ＩＰ端末データならびにサービス制御点およびどのように情報をそのサービス制御点へ送るかを識別する情報を有する第１データベースと、
上記サービス制御点およびそれに関連する第２データベースであって、上記サービス制御点は、無線局セットに関連する識別子および受信した上記機能コードを受信し、上記第１および第２データベースから、上記有線回線機構上のユーザ回線に関連する機能を呼出すのに必要なユーザ関連情報、ならびにそのユーザ関連情報を送るべき宛先およびどのようにその宛先に上記ユーザ関連情報を送るかを含むアクセス情報を検索するものである第２データベースとを備えたシステム。
【請求項１１】
上記サーバおよび上記サービス制御点が、安全な伝送機構を通じて接続される請求項１０に記載のシステム。
【請求項１２】
上記無線局セットは、携帯電話である請求項１０に記載のシステム。
【請求項１３】
上記機能は、上記有線回線機構上のユーザ回線宛ての呼出を、ユーザの上記無線局セットへ転送する使用中の遠隔自動転送機能を使用しないようにするものである請求項１０に記載のシステム。
【請求項１４】
上記機能は、上記有線回線機構上のユーザ回線宛ての呼出を、ユーザの上記無線局セットへ転送する遠隔自動転送である請求項１０に記載のシステム。
【請求項１５】
上記有線回線機構上のユーザ回線は、ＰＢＸに関連しており、上記情報は、上記遠隔自動転送機能を上記ＰＢＸのユーザ回線上で呼出すための上記ＰＢＸにどのようにアクセスするかを含む請求項１４に記載のシステム。
【請求項１６】
上記有線回線機構上のユーザ回線は、中央オフィススイッチに関連しており、上記情報は、どのように上記スイッチにアクセスして上記遠隔自動転送機能を上記中央オフィススイッチのユーザ回線上で呼出すかを含む請求項１４に記載のシステム。
【請求項１７】
有線回線機構上のユーザの電話回線に関連する遠隔自動転送機能を呼出す方法であって、
ａ）ＩＰ端末からの、呼出されるべき遠隔自動転送機能を示す機能コードをサーバで受信するステップと、
ｂ）受信した上記機能コードに応答して、上記サーバが、上記遠隔自動呼出機能を上記有線回線機構上のユーザ電話回線上で呼出すのに必要なユーザ関連情報、ならびにそのユーザ関連情報が送られるべき宛先およびどのようにそのユーザ関連情報を送るかを含むアクセス情報を決定するステップと、
ｃ）上記ユーザ関連情報を、上記ステップｂ）で決定された態様で上記宛先に送り、上記遠隔自動転送機能を上記有線回線機構上のユーザ電話回線上で呼出すステップとを含む方法。
【請求項１８】
上記有線回線機構上のユーザ回線は、ＰＢＸに関連しており、上記宛先が上記ＰＢＸである請求項１７に記載の方法。
【請求項１９】
上記有線回線機構上のユーザ回線は、中央オフィススイッチに関連しており、上記宛先が上記中央オフィススイッチである請求項１７に記載の方法。
【発明の詳細な説明】
【０００１】
【技術分野】
この発明は遠隔通信に関するものであり、より特定的には、ユーザの家庭または会社の電話回線から、例えばユーザに割り当てられた携帯電話へ呼出が自動的へ転送されるように、例えばユーザのＥメールアドレスからネットワークまでがＩＰ（インターネットプロトコル）接続経由であるユーザの家庭または会社の電話回線に関連する自動転送機能を遠隔起動するための方法およびシステムに関するものである。
【０００２】
【発明の背景】
１９９７年３月２５日に出願されかつ１９９８年１０月２１日にＥＰ０８７２９９８Ａ１として公表された米国特許出願番号０８／８２３，９４４は、用語「ユーザ」および「電話加入者」を、遠隔通信環境においてそれぞれ呼出される者および呼出す者に直接関係があるものとして定義し、かつＵＳ６，０５５，５１０においても参照される、使用中ユーザレジストリ（ＡＵＲ）を説明している。一部にはＥＰ０８７２９９８Ａ１から引用され、かつこの発明に従って補充された図２Ｂを参照して、使用中ユーザレジストリ（ＡＵＲ）の一例が示され、ユーザ、典型的には呼出される者は、呼出す者に連絡しようとする電話加入者、すなわち呼出す者による使用のために、パーソナル遠隔通信パラメータの詳細なリストを入力しかつ記憶する。パーソナル遠隔通信パラメータの詳細なリストは、ユーザの名前および別名２１５、その家庭の電話、職場の電話、携帯電話２２０、Ｅメールアドレス２４０、ＵＲＬ２７０ならびに連絡番号２９０を含むが、それらに限定されない。使用中ユーザレジストリは、例えば、Ｅメールによって、職場または家庭の電話によって、職場または家庭のファクシミリによって、ポケットベルによって、携帯電話によって、パーソナル表示装置（ＰＤＡ）等によって、電話加入者がユーザに連絡する可能な方法の全てを識別するユーザのためのディレクトリ情報を提供するネットワークディレクトリ機能の一例である。
【０００３】
ユーザは、ＡＵＲにアクセスし、電話加入者がＡＵＲにアクセスするユーザのロケーションを決めることができるように現在の連絡アドレスを提供してもよい。しかしながら、それによってユーザがそのセル方式移動体識別番号―電子シリアル番号（ＭＩＮ−ＥＳＮ）もしくは他の携帯電話サービス関連情報を入力したり（または知ったり）またはユーザが、その家庭またはＰＢＸ（構内交換機構）の会社の電話からその携帯電話までの遠隔自動転送を、その携帯電話から使用するとされている共通に譲渡された米国親特許出願番号０９／０１０，６１６に開示されているステップに従うことができるいかなる手段も開示されてにいない。便宜上、ここでは、用語「ユーザ」および「電話加入者」を、’９４４出願によって提案される態様で一貫して使用する。
【０００４】
自動転送は、多くの電話会社を介して一般に使用可能な機能であり、それによって、ちょうど規定されたユーザは、その電話呼出を、呼出が最初送られる電話回線から他の電話番号まで自動的に転送してもらうことができる。遠隔自動転送とは、簡単に言えば、遠隔的に、すなわち、機能に関連していない他の電話から自動転送にアクセスすることができるという意味である。例えば、遠隔自動転送が使用されると、そのＰＢＸのユーザをダイヤルする電話加入者は、一旦ユーザが、その機能を、その機能をもたない携帯電話から遠隔的に使用すると、普通に譲渡された先行’６１６出願によれば、その携帯電話のユーザに連絡することになるだろう。
【０００５】
その基本の実施では、ユーザは、申し込んだサービスに関連する電話から機能コードをダイヤルすることによって遠隔自動転送を実施し、ユーザが次の呼出を送ってもらいたいと思う転送電話番号を入力する。中央オフィススイッチは、機能コードおよびユーザがダイヤルした電話回線を認識し、その中央オフィススイッチは、その後、ユーザの電話回線から転送電話番号まで呼出をリダイレクト（転送）する。遠隔自動転送のためには、電話加入者は、再度、その機能に関連する電話をかけることはない。
【０００６】
遠隔自動転送のための二つの方法が一般に使用可能である。ネットワークサービスまたは電話加入者の電話回線に接続される専用加入者機器を用いることである。ネットワークサービスとしては、電話加入者の現在のロケーションの電話への自動転送を呼出すために、電話加入者は、その加入者線交換機に関連する指定した特別な電話番号へ実際に電話をかけ、その加入者線交換機に関連する番号を提供し、申し込んだ機能に関連する番号を提供し、ＰＩＮ（個人識別情報）を入力して、許可されていない自動転送を防ぎ、そして自動転送のために指定された機能コードを入力する。電話加入者が手続を開始する電話番号は、ネットワークによって認識され、電話加入者の中央オフィススイッチは、その後、電話加入者の電話回線から、そこから遠隔自動転送機能が呼出された電話回線まで呼出を送る。
【０００７】
専用電話加入者機器を用いて、遠隔自動転送を呼出すために、電話加入者は、その専用機器に電話をし、ＰＩＮを入力して、許可されていない自動転送を防ぎ、次に呼出が転送されるべき電話番号を入力する。次に、専用機器は、基本の自動転送と同じ手続に従って、電話加入者の電話番号に接続する。中央オフィススイッチは、機能コードおよびそこから電話加入者の専用機器がダイヤルする電話回線を認識する。そして、中央オフィススイッチは、その後、電話加入者の電話回線から転送電話番号まで電話呼出をリダイレクトする。
【０００８】
基本自動転送および遠隔自動転送のいずれも、呼出が市内交換オフィスにおける電話加入者のスイッチによってリダイレクトされる電話加入者の家庭の電話に関連しうる機能である。基本の自動転送および遠隔自動転送は、共同的な環境では、ＰＢＸに接続される電話に関連しうる機能でもある。上で述べたように、基本自動転送のために、ユーザは、その電話から、呼出が送られるべき電話番号と共に、機能コードを入力する。遠隔自動転送のために、ユーザは、ＰＢＸ上の特定の内線番号をダイヤルし、自身の内線番号およびＰＩＮを入力しなければならない。一旦自動転送が呼出されると、ＰＢＸは、その後、転送者の電話番号宛ての呼出に応答して、転送電話番号まで電話をし、入ってくる電話と出て行く電話の橋渡しをする。
【０００９】
移動携帯電話のユーザは、上で説明した態様で、その家庭または会社の電話から自分の携帯電話へ遠隔自動転送することができる。したがって、上で述べたように、ユーザは、特別な電話番号をダイヤルしなければならず、その番号は、その加入者線交換機またはＰＢＸのいずれかに関連しており、次に、その電話番号およびＰＩＮを入力する。不利なことには、無線セルラーネットワークを通じてのそのような手続は、安全な有線回線電話システム上の電話から自動転送機能を遠隔に呼出すときには存在しないセキュリティ問題を露呈することがある。特に、携帯電話上のユーザの押ボタン式入力がおそらく傍受されうるので、盗聴者は、ユーザの電話番号およびパスワードを不正に得て、次に自動転送機能を遠隔に呼出して、ある所望の電話番号へ呼出を転送することができるだろう。
【００１０】
１９９８年１月２２日に出願された、共通に譲渡された米国親特許出願番号０９／０１０，６１６では、電話加入者の家庭または職場の電話回線宛ての呼出を、電話加入者の携帯電話へ、その携帯電話から遠隔自動転送するための方法およびシステムを説明している。
この発明の目的は、加入者の有線回線電話についての、電話加入者の家庭または職場の電話から電話加入者の携帯電話までの遠隔自動転送機能をＩＰ接続から安全に呼出すことである。
【００１１】
【発明の概要】
この発明に従って、遠隔自動転送機能のユーザは、その有線電話回線上のその機能を、インターネットまたは他のサーバにアクセスし、サーバへＩＰ接続経由で機能コードを入力することによって使用可能にする。特に、電話加入者は、例えば、そのパーソナルコンピュータまたは他のインターネットワークステーションから、遠隔自動転送作動データおよび入力フィールドを表示している表示されたウエブページ上へ機能コードを入力するが、その機能コードはサーバによって受信される。ＥＰ０８７２９９８Ａ１に開示されているものに類似であるが、サービス制御点（ＳＣＰ）アクセスのためのフィールドを含むように修正された使用中ユーザレジストリ（ＡＵＲ）または関連ディレクトリは、ユーザによって要求される遠隔自動転送サービスをセットアップするためのサーバによって利用される。ＡＵＲは、一実施例ではＳＣＰに関連していてもよく、他の実施例ではＴＣＰ／ＩＰ（伝送制御プロトコル／インターネットプロトコル）ネットワークの特別なサーバに関連していてもよく、またはさらに他の実施例ではユーザのＩＳＰ（インターネット接続サービス業者）のサーバまたは他のサーバに関連していてもよい。ＡＵＲがＳＣＰに関連する実施例では、通常ＳＣＰに関連するデータベースは、さらなる実施例では、ＡＵＲデータベースと結合されて、共通のデータベースの形にされてもよい。次にサーバは、このディレクトリ（ＳＣＰデータベースと結合されるか単独であるかのいずれかであるＡＵＲ）にアクセスし、ユーザは、識別され、かつユーザの他の遠隔通信できるもの、この例では、その職場の電話番号および携帯電話番号に関連付けられる。機能コードならびに例えば携帯および職場の電話番号によるユーザの識別等の十分な情報は、ユーザのＳＣＰへ渡され、そこで携帯電話の電子シリアル番号（ＥＳＮ）および移動体識別番号（ＭＩＮ）（携帯電話の電話番号）は、ＳＣＰ関連データベースに記憶され、ＭＩＮ−ＥＳＮは共に、携帯サービスの目的のために、一意に電話加入者を識別する。ＳＣＰは、機能コードを、遠隔自動転送機能を電話加入者の会社または家庭の有線電話回線上で呼出す要求として認識し、その有線電話回線上で、遠隔自動転送機能は、ユーザによって申し込まれるかまたはユーザが利用できる。ＳＣＰで、ＭＩＮおよびＥＳＮおよび／または職場の電話番号によって決定されるような、そのユーザに関連するデータベースルックアップ（探索）を行なうことによって、その上で自動転送されるべきＰＢＸ電話回線または家庭の電話回線およびそのサービスを呼出す方法が決定される。さらなる情報は、その上で自動転送されるべき特定の機器（例えば、ＰＢＸまたは加入者線交換機）に関する情報、ＰＢＸ上のユーザの電話番号または内線番号、ＰＢＸまたは加入者線交換機がその機能を呼出すためにＰＩＮを必要とする実施例では、ユーザのＰＩＮ、およびそれを介して加入者線交換機またはＰＢＸに連絡されうるネットワークアドレスまたは電話番号を含むユーザの一致に関連して検索される。この情報は、ＭＩＮと共に、そのようなネットワークアドレスまたは電話番号への安全な伝送手段を通じて、ＰＢＸまたは加入者線交換機へ送られ、次にＰＢＸまたは加入者交換機は、それに応答して、ユーザ回線のための遠隔自動転送機能を呼出し、識別されたＭＩＮへ呼出を転送する。有利なことには、携帯電話への遠隔自動転送は、ユーザがＰＩＮを入力する必要なしに安全に達成されてもよい。さらに、この発明を、ユーザの会社または家庭の有線電話回線に関連する他の機能を、ユーザのＩＰ接続を介して遠隔呼出しするために用いることができる。
【００１２】
【発明の実施の形態】
図１を参照して、ユーザの会社の電話について、ＩＰ接続から遠隔自動転送する例を論じる一方、家庭の電話から遠隔自動転送する例を、図４を参照して引き続き論じることにする。図１では、ＰＢＸ１０１に接続される電話、例えば電話１０２のユーザは、彼らの内線電話番号宛ての呼出を遠隔自動転送することができるものと仮定している。ＰＢＸ１０１は、従来のように、有線電話１０２を有していてもよく、固定無線ＰＢＸを備えていてもよい。図４の実施形態では、電話４０１は、固定無線電話または有線電話を備えている。
【００１３】
特定のＰＢＸ機器によると、そのような自動転送は、ＰＢＸに直接接続された他の電話からのみ実施される。そのようなＰＢＸの一例は、ルーセントテクノロジー（株）から入手できるデフィニティ（登録商標）Ｇ３ＰＢＸであってもよい。その他のＰＢＸにより、ＰＢＸに直接接続されていない電話が、特別な内線番号をダイヤルすることができ、ユーザとの対話を介して、識別したＰＢＸ回線についての遠隔自動転送機能を呼出してもよく、そのためＰＢＸ環境内または外から発せられる呼出を、ユーザの呼出電話番号へ転送することができるが、後者はＰＢＸ環境内または外のいずれかからのものである。
【００１４】
この発明によれば、電話１０２に関連するユーザは、その関連するＰＢＸ１０１上の遠隔自動転送機能を、ＩＰ端末１１２のＩＰ接続から遠隔サーバへ、機能コードを入力することによって呼出す。遠隔サーバは、普通に譲渡された’６１６親特許出願に従って、ＴＣＰ／ＩＰネットワーク１０９のどこにあってもよく、またはユーザが、その移動携帯電話１０３から機能コードをダイヤルするのと同じもしくは類似の態様でそのようなネットワークによってアクセス可能であってもよく、そのためＰＢＸ１０１上のその内線電話番号宛ての呼出は、その携帯電話１０３へ自動的に転送される。
【００１５】
特に、ＩＰ接続からの自動転送を呼出すこの発明の機能の一例として説明する目的のために提供された例では、ユーザは、そのＩＰサービスプロバイダーまたは他の遠隔サーバに、ＩＰ端末１１２からＩＰ接続経由でアクセスすることができ、かつその会社または家庭の電話１０２の、その携帯電話１０３への遠隔自動転送機能を実施する。遠隔サーバは、ＳＣＰ１０６に関連するＡＵＲデータベース１１３ａ、または他の実施形態では、ＴＣＰ／ＩＰネットワーク１０９に関連するＡＵＲデータベース１１３ｂ、またはさらに他の実施形態では、ＰＢＸ１０１に結合される端末サーバ１１０に関連するＡＵＲデータベース１１３ｃにアクセスできる。この発明のさらに他の実施形態では、ＳＣＰデータベース１０８およびＡＵＲデータベース１１３ａが結合されて、同じデータベースとなってもよい。
【００１６】
遠隔サーバは、次に、ＳＣＰデータベース１０８（または結合されたデータベース１０８／１１３ａ）に、ユーザのＭＩＮ／ＥＳＮデータを有するＳＣＰ１０６経由でアクセスする。ユーザの携帯電話１０３を、その携帯電話の電子シリアル番号（ＥＳＮ）および移動体識別番号（ＭＩＮ）を介して、セルタワー１０４を経由して最も近い移動体交換局（ＭＳＣ）１０５に登録すると、この発明によれば、ユーザは、そのＩＰ接続から遠隔自動転送を呼出した後、その家庭またはＰＢＸのユーザにダイヤルしようとする電話加入者から遠隔自動転送された呼出を受信するだろう。先行技術で公知のように、ＥＳＮとＭＩＮとの組み合わせは、携帯電話１０３からＭＳＣ１０５までに関連するユーザを一意に識別する。
【００１７】
ユーザのＰＢＸ関連電話１０２への呼出の、その携帯電話１０３へのＩＰ端末１１２経由の遠隔自動転送を呼出すために、ユーザは、ＩＰ端末１１２から、遠隔自動転送を使用するためのユーザ画面へ機能コードを入力する。ユーザ画面は、好ましい実施形態では、ユーザのＩＰサービスプロバイダーまたは他の関連エンティティ、例えば、ＰＢＸ１０１のための端末サーバ１１０のウェブサイトからアクセス可能なウエブページを備えていてもよい。その代わりに、遠隔サーバおよび関連ＡＵＲ１１３は、ＴＣＰ／ＩＰまたはＷＡＮネットワーク（広域ネットワーク）のどこにあってもよく、またはネットワーク１０９からアクセス可能であってもよい（例えば、ＡＵＲデータベース１１３ａまたは代わりのＡＵＲデータベース１１３ｂもしくはサーバ１１０／ＡＵＲデータベース１１３ｃを参照されたい）。ＡＵＲデータベース１１３ａ、１１３ｂおよび１１３ｃを、ここでは一括してＡＵＲデータベース１１３と呼ぶ。
【００１８】
ユーザは、例えば、ウエブページ／ユーザ画面経由で機能コードを入力してもよく、その機能コードは、ユーザが、その携帯電話１０３からダイヤルするのと同じ機能コード、例えば我々の先行発明を実施するとすれば、＊３７であってもよい。我々の先行発明によれば、そのような機能コードは、そのユーザのＰＢＸ関連電話回線への呼出の、呼出された携帯電話への遠隔自動転送する機能コードとして、携帯プロバイダーによって指定されるだろう。
【００１９】
端末１１２のＩＰ接続経由で入力された機能コード＊３７を受信すると、遠隔サーバは、遠隔自動転送を実施しなければならないことを認め、ユーザに関連する情報のＡＵＲデータベース１１３ａ、１１３ｂまたは１１３ｃ（図２Ｂ）ルックアップを行なう。そのような情報は、少なくとも、会社の電話番号および携帯電話番号またはＭＩＮを含む。サーバは、この発明によれば、ＡＵＲデータベース１１３のフィールド２９５からのＳＣＰアクセス情報をさらに得る。フィールド２９５には、どのようにＳＣＰデータベース１０８（図２Ａ）にＳＣＰ１０６経由で安全にアクセスするかが記述されている。そのような情報を用いて、ＡＵＲデータベース１１３機能を有する遠隔サーバは、携帯セット１０３のＭＩＮおよびＥＳＮの両方を含む安全な態様で、ＳＣＰデータベース１０８にアクセスする。そのようにするために、サーバは、さらなる処理のための安全なネットワークを通じて、ＳＣＰ１０６へのＡＵＲデータベース１１３（図２Ｂ）のフィールド２９５によって決定される態様で、ユーザの認証ならびにそのＰＢＸおよび携帯電話番号とともに、機能コードを送る。安全なネットワークは、ネットワーク１０９とＳＣＰ１０６との間の図１に示されるようないかなる安全データ経路でもありうる。ＳＣＰ１０６への接続は、無線データネットワーク等のいかなる安全なネットワーク上、または安全なインターネットネットワーク上でなされる。さらに、上で提案したように、ＳＣＰデータベース１０８およびＡＵＲデータベース１１３は、単一の位置でＳＣＰ１０６と一体化されていてもよく、それゆえにその間になんらかのネットワークが介挿されている必要はない。この実施形態では、ＡＵＲデータベース１１３ｂは、データベース１０８からの知識を必要としなくてもよく、内蔵されていてもよい。さらなる実施形態では、ＭＩＮ／ＥＳＮデータを含むＳＣＰデータベース１０８は、ＡＵＲデータベース１１３ａ、１１３ｂまたは１１３ｃと一体化されていてもよい。
【００２０】
ＳＣＰ１０６は、機能コードを受信すると、受信した機能コードを、特別な機能、具体的には遠隔自動転送機能の呼出要求として認識する。ＳＣＰ１０６では、ＳＣＰデータベース１０８は、ＩＰ端末１１２のユーザによって要求される特別な機能に応答して、必要に応じてアクセスされ、携帯電話１０３に関連するユーザ固有のＭＩＮ／ＥＳＮの一致が学習される。ＳＣＰデータベース１０８は、各ユーザのＭＩＮおよびＥＳＮの両方に関連する記録を含み、その記録は、そのユーザのＰＢＸにアクセスして遠隔自動転送機能を呼出して、呼出を携帯電話１０３へ転送するのに必要な情報を含む。その記録は、ＡＵＲデータベース１１３ａないし１１３ｃ（図２Ｂ）の一つのフィールド２２０からの、セルラーホン１（ＭＩＮ）とワークホンとの番号の組み合わせによって確実に識別されうる。
【００２１】
図２Ａは、ＳＣＰデータベース１０８およびＡＵＲデータベース１１３ａ／１１３ｂ／１１３ｃのフィールドに、ユーザの関連ＰＢＸでの、携帯電話１０３への遠隔自動転送を呼出すのに必要とされる組み合わせで記憶される情報の種類の一例である。共通に譲渡された先行’６１６出願は、ＩＰ端末１１２を、そのＩＰアドレス、インターネットサービスプロバイダーデータ２１１ａ、またはそれにＩＰ接続を通じて接続されるユーザを照合するための他のユーザ認証データ２１１ｂに関連させるためのフィールド２１１等のいかなる手段も示していない。普通に譲渡された先行’６１６出願は、フィールド２０１ないし２０９を開示しているが、それらのフィールド２０１ないし２０９は、ユーザが、ＩＰ端末１１２からの遠隔自動転送を実施するのに十分な情報を提供しない。より具体的には、フィールド２０１ないし２０９は、遠隔自動転送するためにＰＢＸ１０１によって必要とされる特定の情報、どのようなフォーマットで情報が送られるべきか、その情報がどこへ送られるべきか、そしてその情報が、ユーザの携帯電話の携帯電話番号（ＭＩＮ）およびＥＳＮを提供するフィールド２０１に関してどのように送られるべきかを含む。
【００２２】
他の先行特許に開示されているような使用中ユーザレジストリ（図２Ｂ）は、これらのフィールドへの共通のフィールド２２０を含むが、ＭＩＮ−ＥＳＮデータフィールド２０１を含まない。この発明に従って、ＡＵＲデータベース（図２Ｂ）は、どのようにＳＣＰ１０６および関連するＳＣＰデータベース１０８に安全に連絡するかという方法に関する情報を含むフィールド２９５を含むように修正される。図２Ｂは、Ｎ人のユーザ２２１、２２２、２２３の各々について、次の付加的な情報フィールド：ユーザの名前および別名２１５、メッセージ容量２３０、Ｅメールアドレス２４０、ファクシミリアドレス２５０、ＩＰデータ２６０、ＵＲＬデータ２７０、マルチメディアデータ２８０ならびに現在の連絡番号２９０を含む。
【００２３】
図２Ａで注目されうるように、ＭＩＮ−ＥＳＮについての入力データのためのデータ入力フィールド２１０が、ＳＣＰデータベース１０８の電話加入者のＭＩＮ−ＥＳＮフィールド対２０１に関連している。また、同じユーザのためには、フィールド２０１は、そのユーザのためのさらなるフィールドに関連しており、それらのフィールドは、ＡＵＲのワークホン入力２２０（図２Ｂ）に共通であるユーザのためのＰＢＸに関するユーザの内線番号２０３に関連するＰＢＸ電話番号フィールド２０２を含む。さらに、ＭＩＮフィールド２０１（図２Ａ）は、セルラーホン１入力２２０（図２Ｂ）と共有される。従って、ユーザの記録は、一意に識別されうる。フィールド２０２（図２Ａ）は、ＡＵＲデータベース１１３（図２Ｂ）のワークホンデータ入力に関して、同様に求められるかまたはそれと共有されてもよい。一方、フィールド２０４（図２Ａ）は、ＡＵＲデータベース１１３のいかなるフィールドとも実際同程度であり、かつそのユーザに関連する特定の種類のＰＢＸ機器、およびそのＰＢＸによって遠隔自動転送機能を呼出すのに必要とされる手続および／または信号を示している。フィールド２０４のＰＢＸの種類が、特定の内線番号についての遠隔自動転送機能を呼出すパスワードの入力を必要とする場合には、フィールド２０５（図２Ａ）は、ユーザのパスワードを示す。フィールド２０６は、どのようにＰＢＸにアクセスするかという方法に関する情報を含む。具体的には、以下で説明するように、安全な伝送手段は、それを通じてＰＢＸによって必要とされるそのような情報を、ＳＣＰ１０６によってＰＢＸへ伝送すべきであるが、例えば、インターネットもしくは会社のイントラネット、無線データネットワーク、またはＳＳ７シグナリングネットワーク等のパケットコンピュータネットワークを経由している。
【００２４】
図２ＡのＳＣＰデータベース１０８の情報フィールドを引き続き論じるが、フィールド２０７は、情報が伝送されるべきフィールド２０６の伝送媒体に関連するアドレスを含む。したがって、例えば、以下で説明するように、安全な伝送媒体が、ＴＣＰ／ＩＰＷＡＮ接続を通じて、イントラネットを経由しているなら、情報が送られるべき端末サーバ１１０のＩＰアドレスは、別個の記録フィールド２１１のこのフィールドに示されてもよい。他の情報、例えば、ＰＢＸに接続されるかもしれない機器によって必要とされる翻訳指令および特別なプロトコル等は、別々のフィールド２０８および２０９にありうるし、上で説明したフィールドの１つに組み込まれうる。
【００２５】
この発明にとって新規の記録２１１は、例えば、入力フィールド２１１ａのいくつかのＩＰ端末データを示しており、それらは、例えば、他のユーザ認証データについては、共通のまたは遠隔データベースの特定のＭＩＮ／ＥＳＮに関連されうるユーザＥメールアドレスおよびインターネットサービスプロバイダーおよび入力フィールド２１１ｂを識別する。一方、使用中ユーザレジストリデータベース１１３は、フィールド２１１のようなフィールド（図２Ｂのフィールド２４０、２７０に対応する）と共に、携帯電話番号（例えば、セルラーホン１）、会社の電話番号（ワークホン）を含んでもよいが、そのように設計されなければ、おそらくＭＩＮ／ＥＳＮデータを含まなくてもよい。この発明によれば、ＡＵＲデータベース１１３は、ＭＩＮ−ＥＳＮ情報およびＩＰ端末１１２から遠隔に遠隔自動転送を実施するのに必要とされるＰＢＸ詳細情報を決定するのに必要とされるようなＳＣＰデータベース１０８にアクセスするために十分な情報をフィールド２９５に有している。
【００２６】
図１を再び参照し、ここで説明した特定の実施形態では、電話加入者の携帯電話のＭＩＮを含むＳＣＰデータベース１０８からＳＣＰ１０６によって検索された情報は、メッセージに包み込まれ、安全な会社のイントラネット、ＴＣＰ／ＩＰＷＡＮ１０９を通じて、フィールド２０７で特定されたＩＰアドレスの端末サーバ１１０へ伝送される。端末サーバ１１０は、メッセージを受信し、ＰＢＸ１０１へ入力されなければならない指令信号へのプロトコル変換を行ない、そして必要な翻訳指令とともに、ＰＢＸ１０１に実際に接続されているモデム１１１へこれらの指令を送る。モデム１１１は、ＰＢＸ１０１にＰＢＸ上の局セットとして現れ、ダイヤルコードを含む指令情報、電話加入者の内線番号、呼出が転送されるべきＭＩＮ，もし必要なら電話加入者のパスワード等が、ＰＢＸ１０１が自動転送能力を果たすようにＰＢＸ１０１へ入力される。この実施形態は、端末サーバ１１０およびＰＢＸ１０１を相互接続するモデム１１１を示しているが、代わりの好ましい実施形態では、ＰＢＸ１０１は、端末サーバを接続できるそれ自体の内部モデムを有していてもよく、または直接ＴＣＰ／ＩＰＷＡＮ１０９から情報を受信するインターネット固有の能力を有していてもよい。さらに、端末サーバ１１０−モデム１１１の組み合わせは、ＰＢＸ１０１をより緻密に制御できるインテリジェントプラットフォームとなりうるだろう。このよりインテリジェントな制御は、ＰＢＸの管理端末の制御を含むこともありうるが、そのＰＢＸから、より緻密なかつ複雑な指令が入力されうる。
【００２７】
上で説明した実施例では、ＰＢＸ１０１で遠隔自動転送機能を呼出すのに必要な情報は、安全でないネットワークが用いられてもよいが、好ましくは、安全なイントラネットＴＣＰ／ＩＰＷＡＮ接続１０９経由で、ＳＣＰ１０６から伝送される。ＴＣＰ／ＩＰＷＡＮ接続１０９以外の、他の安全な伝送手段、例えば無線データネットワーク、安全なインターネット接続、またはいかなる他の安全なネットワークも使用することができる。
【００２８】
有利なことには、この発明によって、機能変化を、端末１１２のユーザによる機能コードの入力を介して、ＩＰ端末１１２経由で起動される電話加入者のＰＢＸ１０１へ通信することができる。さらに、携帯電話１０３とＭＳＣ１０５との間の、携帯セットの登録ユーザを一意にかつ明白に認識する無線ハンドシェークを介して、ユーザのロケーションは自動的に決められ、かつ元来ＰＢＸ１０１宛てであった呼出は、携帯電話１０３に遠隔転送されうる。
【００２９】
図３は、この発明のステップを示している。ステップ３０１では、ユーザは、ＩＰ端末１１２から、機能コード（例えば＊３７）を入力し、そのＰＢＸ内線番号宛ての呼出を、ユーザの携帯電話への遠隔自動転送する。遠隔サーバは、好ましくは、インターネットサービスプロバイダーの遠隔サーバ、またはサーバ１１０等のＰＢＸ１０１に関連する遠隔サーバである。遠隔サーバは、コードの受信に応答して、この発明によるＡＵＲデータベースにアクセスし、ＭＩＮ−ＥＳＮデータを得る方法を決定する。次に、遠隔サーバは、ＳＣＰデータベース１０８への問い合わせを開始し、機能コード、携帯電話番号（ＭＩＮ）および／もしくはＰＢＸ内線番号、または所与のユーザのためのその固有の組み合わせ等の一般に公知の情報を用いてデータを得る。ステップ３０２では、ＩＰサーバは、機能コードを受信しかつ認識する。次に、ＩＰサーバは、ユーザのＩＰの認証、例えば、携帯電話番号ならびに／またはＰＢＸ電話および内線番号等の一般に共有されるデータベース情報等と共に、機能コードをＳＣＰ１０６およびＳＣＰデータベース１０８へ転送する。ＳＣＰ１０６は、その機能コードを、電話加入者のＰＢＸ呼出の遠隔自動転送要求として認識する。ステップ３０３では、ＭＩＮ／ＥＳＮの一致を用いて、ＳＣＰ１０６は、呼出をＭＳＣ１０５へ遠隔自動転送することを将来知り、かつＭＩＮ／ＥＳＮに関連するＰＢＸ１０１、および識別されたＰＢＸについては、そのＰＢＸによって、呼出の携帯電話ＭＩＮへの遠隔自動転送を呼出すのに必要とされる情報の種類およびフォーマットを識別する。ステップ３０４では、必要とされるフォーマットのその情報は、安全な伝送手段を通じて、ＰＢＸ１０１へ送られる。ステップ３０５では、ＰＢＸは、その情報を受信し、遠隔自動転送機能を呼出す。
【００３０】
上記の説明では、ユーザが、ＰＢＸに関連しているその会社の番号からの呼出の自動転送を遠隔呼出しすることを望んでいると仮定した。遠隔自動転送は、ルーセントテクノロジー（株）によって製造されている製品番号５ＥＳＳのような電子加入者線交換機を介する地域電話会社からの家庭または中小企業の電話加入者に役立つ機能でもある。非ＰＢＸ型の呼出の遠隔自動転送に関連する機能コード（例えば＊３８）をダイヤルすることによって、ユーザの非ＰＢＸ電話回線からの呼出のユーザの携帯電話への自動転送は、ユーザのＰＢＸ回線についての上記と類似の態様で呼出されうる。図４を参照して、有線もしくはコードレスまたは固定無線電話であってもよい電話４０１のユーザは、従来の加入回線を通じて、その地域電話会社（ＬＥＣ）の加入者線交換機４０２に接続される。その加入者線交換機４０２が電子スイッチであり、かつ電話４０１のユーザが自動転送機能の申込者であれば、ユーザは、従来の態様で機能コードおよび転送番号を入力することによって、局セット４０１からの呼出を、加入者線交換機４０２または他のスイッチに関連する他の電話番号まで自動転送することができる。ユーザはまた、遠隔自動呼出機能を申し込み、それによってユーザは、呼出がリダイレクトされることを望む遠隔電話から、自動転送機能を呼出すことができ、そのユーザは、遠隔電話からその加入者線交換機に関連する特別な電話番号をダイヤルし、次にもし必要ならＰＩＮおよび機能コードを従来の態様で入力してもよい。ユーザの加入者線交換機は、ネットワークから遠隔電話番号を受信し、かつ次にユーザの番号へされた電話を遠隔電話へ転送する。
【００３１】
この発明に従って、ＩＰ端末４１２の電話加入者は、特別の機能コード（例えば＊３８）を入力して、遠隔自動転送する。この遠隔自動転送は、ＳＣＰ４０６およびＭＩＮ／ＥＳＮデータを有する関連ＳＣＰデータベース４０８へ制御を問い合わせたり転送するのに十分な情報を得るための関連ＡＵＲデータベース（ＡＵＲデータベース４１３ａ、４１３ｂまたはおよび４１３ｃの一つ）を有するサーバで受信される。ＩＰサーバは、携帯電話および家庭の電話データ（ホームホン１またはホームホン２。どちらが遠隔自動転送を有していようとも。）と共に、その機能コードを送り、先行技術で公知のいかなる保護されたネットワーク接続であってもよい上述の安全なネットワーク経由で、ＳＣＰ４０６に至る携帯電話４０３のＭＩＮ／ＥＳＮの一致を決定する。ＳＣＰ４０６は、その機能コードを、加入者線交換機での自動転送機能の遠隔呼出要求として認識する。ＳＣＰ４０６では、ＳＣＰデータベース４０８は、ＭＩＮ／ＥＳＮを識別するユーザに関連する記録を検索するためにアクセスされる。図２Ａですでに説明したデータベースに類似のそのデータベースは、付加的なデータフィールド（図示せず）を含み、それらのフィールドは、加入者線交換機４０２にアクセスするのに必要な情報、および比較の目的で遠隔自動転送が呼出されるべき家庭の電話番号を提供する。連絡情報は、スイッチ４０２と対話するのに必要である他の情報に加えて、ユーザに関連する加入者線交換機の種類（ＰＢＸフィールド２０４に類似）を含み、遠隔自動転送機能を呼出して、呼出を電話加入者の携帯電話４０３へ転送するだろう。これは、もし必要なら、電話加入者のＰＩＮ（パスワード２０５に類似）、およびスイッチ４０２に接続されかつそれにＳＣＰ１０６がインターネットＴＣＰ／ＩＰＷＡＮ４０９経由で接続される端末サーバ４１０のＩＰアドレス （フィールド２０７に類似）を含んでもよい。
【００３２】
この発明の好ましい実施形態では、遠隔サーバとＳＣＰ４０６との間に流れる必要なデータ量を制限して、ＩＰ端末４１２が、端末サーバ４１０へのＩＰ接続および関連ＡＵＲデータベース４１３ｃを起動してもよい。例えば、ユーザは、その職場に確立された、勤務地のＰＢＸ１０１に結合される端末サーバ１１０に安全なウェブサイトを有するＡＵＲデータベースを有していてもよい。
ＴＣＰ／ＩＰＷＡＮ４０９は、安全なネットワークの特定の実施形態であり、それを通じて自動転送情報が、必要に応じて伝送されてもよい。図１の実施形態におけるように、他の安全な伝送手段は、ＳＣＰ４０６と加入者線交換機４０２との間で用いられる。端末サーバ４１０は、ＳＣＰ４０６からＴＣＰ／ＩＰフォーマットで伝送される情報についてプロトコル変換を行ない、加入者線交換機４０２は、それに応答して、電話加入者の大陸回線電話４０１から電話加入者の携帯電話４０３へその呼出を自動転送する。
【００３３】
上で説明した実施形態では、ユーザが自動転送機能を、その機能を有する職場または家庭の電話についてＩＰ接続から携帯電話まで遠隔に呼出す方法を説明しているが、この発明を、ＩＰ接続から他の特別な機能を遠隔呼出しするために用いることもできる。これらは明らかに、携帯電話への遠隔自動転送を遠隔に取り消しすること、およびユーザの市内電話サービスに関連されうる他の機能を含む。そのような機能は、現在使用可能であろうが将来いつでも使用可能にされようが、ＰＢＸを介して設けられる。さらに、音声電話に関連して説明したが、この発明は、いかなる種類の呼出、データやその他の、ＩＰ接続を経由するいかなる種類の有線回線局セットから、いかなる種類の無線局セットまでの自動転送を遠隔呼出しするためにも用いられうる。さらに、携帯電話に関連して説明したが、この発明を、時分割多元アクセスまたは符号分割多元アクセス技術および／または他の技術を用いるディジタルおよび／またはアナログ無線電話を含むがそれに限定されない、いかなる種類の無線電話に関連しても用いることができる。
【００３４】
上述の実施形態は、この発明の原理を説明するためのものである。当業者は、この発明の精神および範囲から逸脱することなく他の実施形態を考案することができる。ここで参照された全ての米国特許出願および発行特許の要旨および内容のすべては、参照によって組み込まれるものとする。
【図面の簡単な説明】
【図１】
ユーザの携帯電話が示されているこの発明の一実施形態に係るブロック図であり、この携帯電話は、その会社のＰＢＸ電話局に関連する遠隔自動転送機能をＩＰ接続を介して呼出すものである。
【図２Ａ】
ユーザのＰＢＸに連絡するのに必要な情報を記憶しＭＩＮ／ＥＳＮをさらに含む、サービス制御点（ＳＣＰ）に関連するＳＣＰデータベースの一例を示す図である。
【図２Ｂ】
図２ＡのＳＣＰデータベースに記憶された情報と突き合わせるに十分なディレクトリ情報を提供して、携帯電話への遠隔自動転送のためのＭＩＮ／ＥＳＮ検索を可能にするためのサーバに関連する使用中ユーザレジストリ（ＡＵＲ）データベースの一例を示す図であり、そのＡＵＲデータベースは、図２ＡのＳＣＰデータベースにアクセスする方法に関する情報を記憶している。
【図３】
この発明のステップを詳細に示すフローチャートである。
【図４】
ユーザの携帯電話が示されているこの発明の他の実施形態に係るブロック図であり、この携帯電話は、その家庭の電話回線に関連する遠隔自動転送機能をＩＰ接続を介して呼出すものである。
【図１】
2004519119.tif 000003
【図２Ａ】
2004519119.tif 000004
【図２Ｂ】
2004519119.tif 000005
【図３】
2004519119.tif 000006
【図４】
2004519119.tif 000007
【国際公開パンフレット】
2004519119.tif 000008
2004519119.tif 000009
2004519119.tif 000010
2004519119.tif 000011
2004519119.tif 000012
2004519119.tif 000013
2004519119.tif 000014
2004519119.tif 000015
2004519119.tif 000016
2004519119.tif 000017
2004519119.tif 000018
2004519119.tif 000019
2004519119.tif 000020
2004519119.tif 000021
2004519119.tif 000022
2004519119.tif 000023
2004519119.tif 000024
2004519119.tif 000025
2004519119.tif 000026
2004519119.tif 000027
2004519119.tif 000028
2004519119.tif 000029
2004519119.tif 000030
2004519119.tif 000031
2004519119.tif 000032
2004519119.tif 000033
2004519119.tif 000034
【国際公開パンフレット（コレクトバージョン）】
2004519119.tif 000035
2004519119.tif 000036
【国際公開パンフレット（コレクトバージョン）】
2004519119.tif 000037
2004519119.tif 000038
【国際調査報告】
2004519119.tif 000039
2004519119.tif 000040
2004519119.tif 000041